(57)【特許請求の範囲】
【請求項１】
本体部と、
前記本体部に一体の把持部と、
前記本体部に回転自在に支持されるテープ結束回転部と、
前記テープ結束回転部に設けられて被結束物を結束する粘着テープを巻き付けたテープロールを回転自在に保持するテープロール保持部と、
前記テープ結束回転部の回転中心であって前記粘着テープとともに前記被結束物を配置自在な結束空間を回転中心部に有するＵ字形の回転体と、
前記本体部に収容されて前記テープ結束回転部を回転させる駆動力を発生させる電動機と、
前記電動機へ電力を供給する電源部と、
前記把持部と一括して把持自在なレバーと、
前記把持部側に引き込まれた前記レバーによって前記電動機への給電を開始する開閉器と、
前記テープ結束回転部に設けられて、結束後の前記被結束物に繋がる前記粘着テープを切断可能なテープ切断刃と、
前記テープ結束回転部に設けられて、前記テープ切断刃に切断された前記粘着テープの端部を前記結束空間に繋がる通路空間に横切らせて配置するテープ復帰機構と、を備え、
前記テープ復帰機構は、前記通路空間に突出して前記被結束物の移動にともない揺動して前記テープ切断刃に切断された前記粘着テープの端部を前記結束空間に繋がる前記通路空間に横切らせて配置するアームと、前記粘着テープの端部が前記結束空間に繋がる前記通路空間を横切るように前記アームを復帰させる復元力を生じさせる復元部と、を備えるテープ結束機。
【請求項２】
前記通路空間に設けられて前記粘着テープの端部を受けるテープ受け部を備える請求項１に記載のテープ結束機。
【発明の詳細な説明】
【技術分野】
【０００１】
本発明に係る実施形態は、テープ結束機に関する。
【背景技術】
【０００２】
長手状の被結束物に粘着テープを巻き付けるＵ字形状の回転体を備えるテープ結束機が知られている。
【０００３】
従来のテープ結束機は、被結束物を粘着テープで結束した後、粘着テープを切断する切断手段を備えている。（例えば、特許文献１参照。）。
【先行技術文献】
【特許文献】
【０００４】
【特許文献１】特開昭６３−２４８６１６号公報
【発明の概要】
【発明が解決しようとする課題】
【０００５】
従来のテープ結束機は、Ｕ字形状の回転体を回転させている最中、被結束物を粘着テープで結束し、かつ粘着テープの切断まで終わらせる。
【０００６】
このため、従来のテープ結束機は、粘着テープの切断手段の他に、Ｕ字形状の回転体の回転に同期して切断手段を機能させる係止片を含んだ同期機構を備えている。
【０００７】
これら切断手段や同期機構は、テープ結束機の重量を増加させる。
【０００８】
また、従来のテープ結束機は、減速機付モータを備える一方で、減速機付モータの動力源（例えば電源）をどのように得るのか判然とせず、据え置き状態で使用するのか、可搬できるのか分からない。
【０００９】
ところで、果樹園や園芸農園などの屋外において、枝、茎、および蔓などの被結束物を網、支柱、および棚などの被結束物に粘着テープで結束する場合、被結束物に粘着テープを手作業で巻き付けるよりも、何らかの動力源を利用する可搬型のテープ結束機を用いて被結束物に粘着テープを自動で巻き付けられる方が、作業性が良い。
【００１０】
また、果樹園や園芸農園などの屋外において、動力源を利用する可搬型のテープ結束機を利用する場合には、何らか動力源を備える一方で、作業性を損なわないよう軽快に扱えなければならない。
【００１１】
さらに、枝、茎、および蔓などの被結束物や、網、支柱、および棚などの被結束物は、方向性や太さが様々なため、テープ結束機は、様々な使用態様において被結束物を確実に結束できる構造を備えていることが望まれる。
【００１２】
そこで、本発明は、可搬型で軽量、かつ被結束物を確実に結束できる構造を備えて、屋外で多様な被結束物を容易に結束できるテープ結束機を提案する。
【課題を解決するための手段】
【００１３】
前記の課題を解決するため本発明の実施形態に係るテープ結束機は、本体部と、前記本体部に一体の把持部と、前記本体部に回転自在に支持されるテープ結束回転部と、前記テープ結束回転部に設けられて被結束物を結束する粘着テープを巻き付けたテープロールを回転自在に保持するテープロール保持部と、前記テープ結束回転部の回転中心であって前記粘着テープとともに前記被結束物を配置自在な結束空間を回転中心部に有するＵ字形の回転体と、前記本体部に収容されて前記テープ結束回転部を回転させる駆動力を発生させる電動機と、前記電動機へ電力を供給する電源部と、前記把持部と一括して把持自在なレバーと、前記把持部側に引き込まれた前記レバーによって前記電動機への給電を開始する開閉器と、前記テープ結束回転部に設けられて、結束後の前記被結束物に繋がる前記粘着テープを切断可能なテープ切断刃と、前記テープ結束回転部に設けられて、前記テープ切断刃に切断された前記粘着テープの端部を前記結束空間に繋がる通路空間に横切らせて配置するテープ復帰機構と、を備え、前記テープ復帰機構は、前記通路空間に突出して前記被結束物の移動にともない揺動して前記テープ切断刃に切断された前記粘着テープの端部を前記結束空間に繋がる前記通路空間に横切らせて配置するアームと、前記粘着テープの端部が前記結束空間に繋がる前記通路空間を横切るように前記アームを復帰させる復元力を生じさせる復元部と、を備えている。
【図面の簡単な説明】
【００１４】
【図１】本発明の実施形態に係るテープ結束機の正面図。
【図２】本発明の実施形態に係るテープ結束機の平面図。
【図３】本発明の実施形態に係るテープ結束機の背面図。
【図４】本発明の実施形態に係るテープ結束機の内部構造図。
【図５】本発明の実施形態に係るテープ結束機の内部構造図。
【図６】本発明の実施形態に係るテープ結束機の動力伝達機構の斜視図。
【図７】本発明の実施形態に係るテープ結束機の制御系統のブロック図。
【図８】本発明の実施形態に係るテープ結束機のテープ結束回転部の内部構造図。
【図９】本発明の実施形態に係るテープ結束機の結束動作を示す図。
【図１０】本発明の実施形態に係るテープ結束機の結束動作を示す図。
【図１１】本発明の実施形態に係るテープ結束機の結束動作を示す図。
【図１２】本発明の実施形態に係るテープ結束機の結束動作を示す図。
【図１３】本発明の実施形態に係るテープ結束機の結束動作を示す図。
【図１４】本発明の実施形態に係るテープ結束機の結束動作を示す図。
【図１５】本発明の実施形態に係るテープ結束機の結束動作を示す図。
【図１６】本発明の実施形態に係るテープ結束機の結束動作を示す図。
【図１７】本発明の実施形態に係るテープ結束機の結束動作を示す図。
【発明を実施するための形態】
【００１５】
本発明に係るテープ結束機の実施形態について図１から図１７を参照して説明する。
【００１６】
図１は、本発明の実施形態に係るテープ結束機の正面図である。
【００１７】
図２は、本発明の実施形態に係るテープ結束機の平面図である。
【００１８】
図３は、本発明の実施形態に係るテープ結束機の背面図である。
【００１９】
図１から３に示すように、本実施形態に係るテープ結束機１は、主に果樹園や園芸農園などの屋外において、枝、茎、および蔓などの被結束物Ｏ１を網、支柱、および棚などの被結束物Ｏ２に粘着テープ２で結束する際に利用される可搬型である。
【００２０】
テープ結束機１は、樹脂製の本体部１１と、本体部１１に一体の把持部１２と、本体部１１に回転自在に支持されるテープ結束回転部１３と、テープ結束回転部１３に設けられて被結束物Ｏ１、Ｏ２を結束する粘着テープ２を巻き付けたテープロール１６を回転自在に保持するテープロール保持部１７と、テープ結束回転部１３の回転中心であって粘着テープ２とともに被結束物Ｏ１、Ｏ２を配置自在な結束空間１８を回転中心部に有するＵ字形の回転体１９と、把持部１２と一括して把持自在なレバー２３と、把持部１２側に引き込まれたレバー２３に連動して結束空間１８に配置される被結束物Ｏ１、Ｏ２が回転体１９から離脱することを阻止し、レバー２３が把持部１２から離れると被結束物Ｏ１、Ｏ２を開放して回転体１９から離脱することを許可する被結束物保持機構２５と、本体部１１から延びる可撓な電源線２６と、電源線２６を介して本体部１１へ電力を供給する電源部２７と、を備えている。
【００２１】
本体部１１は、正面側の本体半体１１ａおよび背面側の本体半体１１ｂを組み合わせた中空体である。長手形状の本体部１１は、把持部１２としての一方の端部側からテープ結束回転部１３を支持する他方の端部側へと延びている。本体半体１１ａ、１１ｂのそれぞれには、回転体１９の結束空間１８に対応する凹部１１ｃが設けられている。
【００２２】
把持部１２は、テープ結束機１を操作するために使用者が手で把持する部分である。把持部１２は、使用者が手で容易に把持できる適宜の形状を有している。
【００２３】
テープ結束回転部１３は、本体部１１の正面側に配置されている。テープ結束回転部１３の回転中心部は、回転体１９の回転中心部に重なっている。テープ結束回転部１３にも、回転体１９の結束空間１８に対応する適宜の切欠部２８が設けられ、回転体１９同様にＵ字形状を成している。
【００２４】
本体部１１側の凹部１１ｃおよびテープ結束回転部１３側の切欠部２８は、Ｕ字形の回転体１９とともに結束空間１８へ被結束物Ｏ１、Ｏ２を導く通路空間２９となる。通路空間２９は、出入り口側から結束空間１８へ至る中間位置まで徐々に狭まる漸減部２９ａと、中間位置から結束空間１８へ至る直線部２９ｂと、を有している。漸減部２９ａは、被結束物Ｏ１、Ｏ２を結束空間１８へ導きやすくする。
【００２５】
テープ結束回転部１３も中空体であり、背面側のハウジング３１と、ハウジング３１の正面側に設けられる２つのカバー３２、３３と、を備えている。２つのカバー３２、３３は、粘着テープ２を通過させる隙間３５を隔てて設けられている。テープロール保持部１７から延びる粘着テープ２は、結束以前に結束空間１８へ配置される被結束物Ｏ１、Ｏ２に貼付しやすいよう、初期状態において通路空間２９を横切る態様で配置され、この際にカバー３２、３３間の隙間３５を通過して結束空間１８へ至る。
【００２６】
カバー３２は、正面視においてＬ字形またはＪ字形であって、初期状態に配置される粘着テープ２の非粘着面を臨みつつ、粘着テープ２の先端側を迂回して通路空間２９の開口縁に至る。
【００２７】
カバー３３は、初期状態に配置される粘着テープ２の粘着面を臨む。
【００２８】
テープロール保持部１７は、テープ結束回転部１３の切欠部２８の側方であって、カバー３２、３３間の隙間３５の側方に配置されてハウジング３１に設けられている。テープロール保持部１７は、テープ結束回転部１３の回転中心線に対して略平行に配置される円筒体であり、周方向に並ぶ複数のリブ３６によってテープロール１６の内径に接してテープロール１６を回転自在に保持する。
【００２９】
回転体１９は、中央部分の結束空間１８から外周部へ開放する通路空間２９をＵ字形に区画する外歯車であり、ハウジング３１に固定されている。
【００３０】
レバー２３は、テープ結束機１を操作するために使用者が手指を掛ける部分である。レバー２３は、使用者が手指、特に人差し指、中指、薬指および小指を容易に引っ掛けることのできる適宜の形状を有している。
【００３１】
テープロール保持部１７とレバー２３とは、通路空間２９を隔てて配置されている。通路空間２９の漸減部２９ａは、レバー２３側へ偏倚して開放されている。
【００３２】
被結束物保持機構２５は、本体部１１に設けられている。
【００３３】
電源線２６は、把持部１２の末端から延びている。
【００３４】
電源部２７は、例えば使用者の腰ベルトに吊り下げて使用可能な吊下具３７を備えている。電源部２７には、主電源開閉器３８が設けられている。電源部２７は、一次電池であっても良いが、二次電池であることが好ましい。なお、電源部２７は、把持部１２の端部に一体、または着脱自在に設けられていても良い。
【００３５】
また、テープ結束機１は、テープ結束回転部１３に設けられるテープ押圧部３９を備えている。テープ押圧部３９は、通路空間２９および結束空間１８のなすＵ字形空間の底の部分に配置されている。
【００３６】
さらに、テープ結束機１は、テープ結束回転部１３に設けられて、結束後の被結束物Ｏ１、Ｏ２に繋がる粘着テープ２を切断可能なテープ切断刃４５と、テープ結束回転部１３に設けられて、テープ切断刃４５に切断された粘着テープ２の端部を結束空間１８に繋がる通路空間２９に横切らせて配置するテープ復帰機構４６と、を備えている。
【００３７】
粘着テープ２は、紙、生分解性樹脂（オレフィン系、ポリエステル系）、または非生分解性樹脂（オレフィン系、ポリエステル系）を基材とする。また、果樹園や畑でテープ結束機１を利用する場合には、土中環境への影響を考慮して紙、または生分解性樹脂を基材とする粘着テープ２を使用することが好ましい。
【００３８】
次に、テープ結束機１の内部構造を説明する。
【００３９】
図４および図５は、本発明の実施形態に係るテープ結束機の内部構造図である。
【００４０】
図６は、本発明の実施形態に係るテープ結束機の動力伝達機構の斜視図である。
【００４１】
なお、図４および図５は、本体部１１の本体半体１１ｂを省略している。図４は、レバー２３の非操作状態（操作されていない状態）を示し、図５は、レバー２３の操作状態を示している。
【００４２】
図４から図６に示すように、本実施形態に係るテープ結束機１は、本体部１１に収容されてテープ結束回転部１３を回転させる駆動力を発生させる電動機４７と、把持部１２側に引き込まれたレバー２３によって電動機４７への給電を開始する開閉器４８と、本体部１１に設けられて電動機４７が発生させる駆動力を回転体１９に伝達してテープ結束回転部１３を回転させる動力伝達機構４９と、テープ結束回転部１３の回転を検知する回転検知部５１と、を備えている。
【００４３】
先ず、レバー２３は、把持部１２の根元に設けられるレバー軸５５に揺動自在に支持されている。レバー軸５５には、捻りばね５６が設けられている。捻りばね５６は、把持部１２に最も近づく引き込み状態から把持部１２から最も離れる初期状態へ向かってレバー２３へばね力を作用させている。
【００４４】
レバー２３は、レバー軸５５から把持部１２の側面に延びており、把持部１２を握る手の手指を掛けやすい。また、レバー２３には、レバー２３が握り込まれると開閉器４８の電路を閉じる突起５７が設けられている。突起５７は、切り欠き１１ｄを通じて本体部１１の内部に突入し、レバー２３の揺動範囲を規制している。
【００４５】
被結束物保持機構２５は、本体部１１に設けられて凹部１１ｃの近傍に配置される支持軸６１と、支持軸６１に揺動自在に支持される被結束物保持部材６２と、被結束物保持部材６２に設けられる第一連結軸６３と、第一連結軸６３に揺動自在に支持されてレバー２３へ延びる連結棒６５と、レバー２３に連結棒６５を揺動自在に支える第二連結軸６７と、を備えている。
【００４６】
被結束物保持部材６２は、支持軸６１を中心に揺動するテコであり、支持軸６１を中心に屈折している。被結束物保持部材６２は、本体部１１の凹部１１ｃの入口へ向かって反る板バネ状の押さえ部６８を備えている。
【００４７】
そして、被結束物保持機構２５は、把持部１２に設けられるレバー軸５５を中心にして把持部１２から最も離れる初期状態のレバー２３（図４）によって、被結束物保持部材６２を通路空間２９の外側へ揺動させる。他方、被結束物保持機構２５は、レバー軸５５を中心にして把持部１２に最も近づく引き込み状態のレバー２３（図５）によって、被結束物保持部材６２を通路空間２９の内側へ揺動させる。このとき、レバー２３は、開閉器４８に接触してその電路を閉じて電動機４７へ通電させる。
【００４８】
ところで、被結束物保持部材６２が結束空間１８に押さえ込む被結束物Ｏ１、Ｏ２の太さは、必ずしも一定ではない。このため、第一連結軸６３と第二連結軸６７とを殆ど延びない１本の連結棒だけで連結すると、被結束物Ｏ１、Ｏ２の太さによっては、レバー２３は、引き込み状態へ到達できず、開閉器４８を閉じられなくなる場合がある。
【００４９】
そこで、被結束物保持部材６２は、被結束物Ｏ１、Ｏ２の太さに応じて押さえ部６８を変形させて結束空間１８へ押さえ付けるとともに、レバー２３が引き込み状態に到達することを保証している。
【００５０】
次いで、テープ結束回転部１３の駆動系統について説明する。
【００５１】
電動機４７は、電源線２６を介して電源部２７に電気的に接続されている。電動機４７と電源線２６との間には、開閉器４８が介在している。電動機４７の出力軸は、動力伝達機構４９に接続されている。
【００５２】
動力伝達機構４９は、電動機４７の出力軸に回転一体に設けられるウォーム７１と、ウォーム７１に噛み合わされるウォームホイール７２と、ウォームホイール７２に回転一体に接続される第一駆動歯車７３と、第一駆動歯車７３とともにウォームホイール７２に回転一体に接続される第一滑車７５と、第一滑車７５に巻き掛けられるベルト７６と、ベルト７６を巻き掛けられて第一滑車７５と同じ回転速度で回転する第二滑車７７と、第二滑車７７に回転一体に接続される第二駆動歯車７８と、を備えている。
【００５３】
ウォーム７１とウォームホイール７２とはウォーム歯車を構成している。
【００５４】
第一駆動歯車７３および第二駆動歯車７８は、歯車対７９を成してそれぞれ個別に回転体１９の歯車列に噛み合わされる。歯車対７９は、回転体１９の位相にかかわらず、第一駆動歯車７３および第二駆動歯車７８の少なくともいずれかを必ず回転体１９の歯列に噛み合わせて、回転体１９を円滑に回転させる。
【００５５】
回転体１９は、結束空間１８の周囲に配置される半円弧状の枠体（図示省略）によって本体部１１に回転自在に支持されている。
【００５６】
回転検知部５１は、回転体１９の外周部近傍に設けられる磁石８１と、磁石８１の磁気を検知する磁気センサ８２と、を備えている。回転検知部５１は、磁石８１の磁気を磁気センサ８２で検知して回転体１９の回転、ひいてはテープ結束回転部１３の回転を検知する。
【００５７】
次いで、テープ結束機１の制御系統を説明する。
【００５８】
図７は、本発明の実施形態に係るテープ結束機の制御系統のブロック図である。
【００５９】
図７に示すように、本実施形態に係るテープ結束機１は、回転検知部５１の検知結果に基づいて電源部２７から電動機４７への給電を遮断する制御部８３を備えている。
【００６０】
テープ結束機１の主電源開閉器３８、レバー２３に連動される開閉器４８、および電動機４７は、電源部２７に直列的に接続されている。
【００６１】
制御部８３は、電源部２７の電力によって駆動し、回転検知部５１の出力を監視している。そして、制御部８３は、テープ結束回転部１３の回転回数が予め定める回転回数Ｎ（例えば２回転）に達すると、スイッチング素子８５によって電源部２７から電動機４７への電路を開いて電力供給を遮断し、電動機４７を停止させる。
【００６２】
なお、制御部８３は、本体部１１内に設けられていても良いし、電源部２７に設けられていても良い。また、制御部８３は、予め定める回転回数Ｎを任意の回数に変更できる調整装置、例えばダイヤルを備えていても良い。
【００６３】
次いで、本実施形態に係るテープ結束回転部１３の内部構造を説明する。
【００６４】
図８は、本発明の実施形態に係るテープ結束機のテープ結束回転部の内部構造図である。なお、図８は、カバー３２、３３を省略している。
【００６５】
図８に示すように、本実施形態に係るテープ結束機１のテープ押圧部３９は、Ｕ字形空間の底の縁部に設けられる支持軸８６と、支持軸８６によって揺動自在に支持される一対の腕部８７と、一対の腕部８７のそれぞれの先端部に回転自在に支持される一対のローラ８８と、を備えている。テープ押圧部３９は、結束空間１８に配置される被結束物Ｏ１、Ｏ２を二股に開いた腕部８７先端の一対のローラ８８の間に配置して安定させるとともに、テープ結束回転部１３が被結束物Ｏ１、Ｏ２の周囲を回転する際に被結束物Ｏ１、Ｏ２と被結束物Ｏ１、Ｏ２との間の回転変位を円滑に案内する。
【００６６】
一対の腕部８７は、被結束物Ｏ１、Ｏ２が一対のローラ８８の間を通過してしまわないように、被結束物Ｏ１、Ｏ２のうち径の大きい被結束物Ｏ１の外径よりも一対のローラ８８の離間距離が小さくなるように開くことが好ましい。
【００６７】
テープ切断刃４５は、テープ結束回転部１３のＵ字形の一方の端部側の領域にあって、通路空間２９の開口端部に配置されている。テープ切断刃４５は、テープロール保持部１７とともにテープ結束回転部１３のＵ字形の一方の端部側の領域に配置されており、粘着面側から粘着テープ２を切断することができる。
【００６８】
テープ復帰機構４６も、テープ切断刃４５およびテープロール保持部１７とともにテープ結束回転部１３のＵ字形の一方の端部側の領域に配置されている。テープ復帰機構４６は、通路空間２９に突出して被結束物Ｏ１、Ｏ２の移動にともない揺動して粘着テープ２を配置するアーム９１と、アーム９１を揺動自在に支えるアーム軸９２と、粘着テープ２の端部を回転体１９のＵ字形の他方側の端部側に配置する位置へアーム９１を復帰させる復元力を生じさせる復元部９３と、を備えている。
【００６９】
アーム９１は、通路空間２９内に突出しており、テープ結束回転部１３のＵ字形の一方の端部側からＵ字形の他方の端部側へ通路空間２９を横切らせて粘着テープ２を到達させる回転半径を有している。アーム９１の先端部には、粘着テープ２の接着面に微小面積で接する棒状のテープ送り部９５が設けられている。
【００７０】
また、アーム９１は、アーム軸９２を中心に倒れ込むことによって、被結束物Ｏ１、Ｏ２が通路空間２９を往来する妨げになることを回避する。
【００７１】
アーム軸９２は、通路空間２９の近傍に配置されている。具体的には、アーム軸９２は、通路空間２９の漸減部２９ａと直線部２９ｂとの変曲部に対して通路空間２９を隔てて略対向している。
【００７２】
復元部９３は、いわゆる引っ張りばねであって、アーム９１の先端が通路空間２９の漸減部２９ａと直線部２９ｂとの変曲部へ向くようにアーム９１にばね力を作用させている。復元部９３の復元力によってアーム９１が復帰する位置は、アーム９１の初期位置である。
【００７３】
テープ結束回転部１３は、通路空間２９に設けられて粘着テープ２の端部を受けるテープ受け部９６を備えている。テープ受け部９６は、通路空間２９の漸減部２９ａのうち、テープ結束回転部１３のＵ字形の他方側の辺部である。テープ受け部９６は、テープロール保持部１７に保持されるテープロール１６の略接線方向に延びており、把持部１２を持ってテープ結束機１を直立させた際に、テープロール１６から垂れ下がる粘着テープ２の非粘着面に柔らかに接触して、これを受ける。
【００７４】
次いで、本実施形態に係るテープ結束機１の結束動作を説明する。
【００７５】
図９から図１７は、本発明の実施形態に係るテープ結束機の結束動作を示す図である。なお、図９から図１７は、図８と同様にカバー３２、３３を省略している。
【００７６】
先ず、図９に示すように、被結束物Ｏ１、Ｏ２がテープ結束機１の通路空間２９内へ導かれる。このとき、漸減部２９ａは、通路空間２９内へ被結束物Ｏ１、Ｏ２を円滑に導く。通路空間２９の途中では、通路空間２９内へ突出するテープ復帰機構４６のアーム９１が被結束物Ｏ１、Ｏ２によって結束空間１８側へ倒れ込みつつ、粘着テープ２が被結束物Ｏ１、Ｏ２に貼り付きながら被結束物Ｏ１、Ｏ２とともに結束空間１８へ進む。
【００７７】
次いで、図１０に示すように、被結束物Ｏ１、Ｏ２がテープ結束機１の結束空間１８内に配置される。このとき、粘着テープ２は、被結束物Ｏ１、Ｏ２とテープ押圧部３９に挟み込まれる。粘着テープ２は、テープ結束機１の自重や使用者の操作力によって押し付けられて被結束物Ｏ１、Ｏ２に貼り付く。なお、テープ押圧部３９は、結束空間１８に被結束物Ｏ１、Ｏ２が配置されると、腕部８７を拡げてローラ８８の間に被結束物Ｏ１、Ｏ２を挟み込む。
【００７８】
ここまでで、結束の準備が完了する。
【００７９】
次いで、図１１に示すように、本実施形態に係るテープ結束機１は、レバー２３が握り込まれると、テープ押圧部３９と被結束物保持機構２５の被結束物保持部材６２との間に被結束物Ｏ１、Ｏ２を挟み込んで、しっかりと押さえ込む。
【００８０】
また、図１２に示すように、本実施形態に係るテープ結束機１は、使用者によってレバー２３が完全に握り込まれると、電動機４７を駆動させてテープ結束回転部１３を自動的に回転させる。回転するテープ結束回転部１３は、テープ押圧部３９によって粘着テープ２を押し付けつつ、被結束物Ｏ１、Ｏ２に粘着テープ２を巻き付ける。
【００８１】
図１３に示すように、本実施形態に係るテープ結束機１は、予め定める回転回数Ｎに応じて被結束物Ｏ１、Ｏ２に粘着テープ２を巻き付けて、テープ結束回転部１３の回転を完了させる。この時点では、被結束物Ｏ１、Ｏ２に巻き付けられた粘着テープ２は、未だテープロール１６に繋がっている。
【００８２】
次いで、図１４に示すように、本実施形態に係るテープ結束機１は、使用者によって被結束物Ｏ１、Ｏ２を通路空間２９の出入口側へ運ばれる。このとき、テープ押圧部３９は、腕部８７を閉じて一対のローラ８８が触れ合わせる。また、通路空間２９の途中では、通路空間２９内へ突出するテープ復帰機構４６のアーム９１が被結束物Ｏ１、Ｏ２によって通路空間２９の出入口側へ倒れ込む。
【００８３】
次いで、図１５に示すように、被結束物Ｏ１、Ｏ２がテープ結束機１の通路空間２９外側へ運ばれる。この時点では、被結束物Ｏ１、Ｏ２に巻き付けられた粘着テープ２は、未だテープロール１６に繋がったまま、テープロール１６から引き出される。
【００８４】
次いで、図１６に示すように、被結束物Ｏ１、Ｏ２に繋がる粘着テープ２が非粘着面側からテープ結束機１のテープ切断刃４５に押し当てられて切断される。すると、図１７に示すように、テープ結束機１のテープ復帰機構４６は、復元部９３の復元力によってアーム９１を初期位置に復帰させる。このとき、粘着テープ２はテープ復帰機構４６によって、通路空間２９を横切る状態に再配置されて、次の結束動作の待機状態へ移行する。
【００８５】
本実施形態に係るテープ結束機１は、結束後の被結束物Ｏ１、Ｏ２に繋がる粘着テープ２を切断可能なテープ切断刃４５と、テープ切断刃４５に切断された粘着テープ２の端部を結束空間１８に繋がる通路空間２９に横切らせて配置するテープ復帰機構４６と、を備えることによって、結束後に被結束物Ｏ１、Ｏ２から粘着テープ２を切断する一連の動作で次の結束動作の待機状態、つまり作業準備を容易に整えられる。
【００８６】
また、本実施形態に係るテープ結束機１は、通路空間２９に突出して被結束物Ｏ１、Ｏ２の移動にともない揺動して粘着テープ２を配置するアーム９１と、粘着テープ２の端部を回転体１９のＵ字形の他方側の端部側に配置する位置へアーム９１を復帰させる復元力を生じさせる復元部９３と、を備えることによって、通路空間２９を往来する被結束物Ｏ１、Ｏ２の妨げになることなく、結束後に被結束物Ｏ１、Ｏ２から粘着テープ２を切断する一連の動作で次の結束動作の待機状態、つまり作業準備を容易に整えられる。
【００８７】
さらに、本実施形態に係るテープ結束機１は、通路空間２９に設けられて粘着テープ２の端部を受けるテープ受け部９６を備えることによって、被結束物Ｏ１、Ｏ２が通路空間２９を通過して結束空間１８へ配置される際に、被結束物Ｏ１、Ｏ２に粘着テープ２を円滑に貼付することができる。
【００８８】
したがって、本実施形態に係るテープ結束機１によれば、可搬型で軽量、かつ被結束物を確実に結束できる構造を備えて、屋外で多様な被結束物を容易に結束できる。
【符号の説明】
【００８９】
１  テープ結束機
２  粘着テープ
１１  本体部
１１ａ  本体半体
１１ｂ  本体半体
１１ｃ  凹部
１１ｄ  切り欠き
１２  把持部
１３  テープ結束回転部
１６  テープロール
１７  テープロール保持部
１８  結束空間
１９  回転体
２３  レバー
２５  被結束物保持機構
２６  電源線
２７  電源部
２８  切欠部
２９  通路空間
２９ａ  漸減部
２９ｂ  直線部
３１  ハウジング
３２  カバー
３３  カバー
３５  隙間
３６  リブ
３７  吊下具
３８  主電源開閉器
３９  テープ押圧部
４５  テープ切断刃
４６  テープ復帰機構
４７  電動機
４８  開閉器
４９  動力伝達機構
５１  回転検知部
５５  レバー軸
５６  捻りばね
５７  突起
６１  支持軸
６２  被結束物保持部材
６３  第一連結軸
６５  連結棒
６７  第二連結軸
６８  押さえ部
６９  レバー軸
７１  ウォーム
７２  ウォームホイール
７３  第一駆動歯車
７５  第一滑車
７６  ベルト
７７  第二滑車
７８  第二駆動歯車
７９  歯車対
８１  磁石
８２  磁気センサ
８３  制御部
８５  スイッチング素子
８６  支持軸
８７  腕部
８８  ローラ
９１  アーム
９２  アーム軸
９３  復元部
９５  テープ送り部
９６  テープ受け部
【図１】
0006511264.tif 000002
【図２】
0006511264.tif 000003
【図３】
0006511264.tif 000004
【図４】
0006511264.tif 000005
【図５】
0006511264.tif 000006
【図６】
0006511264.tif 000007
【図７】
0006511264.tif 000008
【図８】
0006511264.tif 000009
【図９】
0006511264.tif 000010
【図１０】
0006511264.tif 000011
【図１１】
0006511264.tif 000012
【図１２】
0006511264.tif 000013
【図１３】
0006511264.tif 000014
【図１４】
0006511264.tif 000015
【図１５】
0006511264.tif 000016
【図１６】
0006511264.tif 000017
【図１７】
0006511264.tif 000018